(57)【要約】      （修正有）【課題】１枚の情報表示用パネルを１枚の紙の表裏のように利用することができ、見たい情報が表示されるまで待つ動作をなくすことができる両面書き換え表示式情報表示装置を提供する。【解決手段】両面表示可能な情報表示用パネルを用いた両面書き換え表示式情報表示装置であって、両面表示可能な１枚の情報表示用パネル２を用い、情報書き換えスイッチ４、５をＯＮにした後、情報表示用パネルを裏返すことで、裏面に選択表示されたページを見ることができるよう構成する。両面表示可能な情報表示用パネルの好適例として、電界駆動可能な表示媒体を２枚の透明基板間に封入し、基板に設けた透明対電極から電界を付与することで表示媒体を移動させて画像等の情報表示を書き換えできるドットマトリックス表示方式の両面表示可能な情報表示用パネルを使用する。【選択図】図１
2008299268.tif 000002
【特許請求の範囲】
【請求項１】
両面表示可能な情報表示用パネルを用いた両面書き換え表示式情報表示装置であって、両面表示可能な１枚の情報表示用パネルを用い、情報書き換えスイッチをＯＮにすると、もう一方の画面に書き換えた情報が表示され、情報表示用パネルを裏返すことで、情報表示用パネルの裏面側に表示された選択情報を見るよう構成したことを特徴とする両面書き換え表示式情報表示装置。
【請求項２】
電界駆動可能な表示媒体を２枚の透明基板間に封入し、基板に設けた透明電極から電界を付与することで表示媒体を移動させて画像等の情報表示を書き換えする表示方式の両面表示可能な１枚の情報表示用パネルで構成したことを特徴とする請求項１に記載の両面書き換え表示式情報表示装置。
【請求項３】
電界駆動可能な表示媒体を２枚の透明基板間に封入し、基板に設けた透明ドット対電極から電界を付与することで表示媒体を移動させて画像等の情報表示を書き換えするドットマトリックス表示方式の両面表示可能な１枚の情報表示用パネルで構成したことを特徴とする請求項１または２に記載の両面書き換え表示式情報表示装置。
【請求項４】
電界駆動可能な表示媒体を一方が透明な２枚の基板間に封入し、基板に設けた電極から電界を付与することで表示媒体を移動させて画像等の情報表示を書き換えする表示方式の表示部を２枚組み合わせて両面表示可能な情報表示用パネルを構成したことを特徴とする請求項１に記載の両面書き換え表示式情報表示装置。
【請求項５】
表示面を透明な電極付き基板を２枚用いて構成し、その２枚の透明基板の間に、透明でなく、かつ、両面に電極が設けられた基板を配置して形成された２つの基板間空間に電界駆動可能な表示媒体を封入し、基板に設けた電極から電界を付与することで表示媒体を移動させて画像等の情報表示を書き換えする表示方式の両面表示可能な情報表示用パネルで構成したことを特徴とする請求項１に記載の両面書き換え表示式情報表示装置。
【請求項６】
２つの基板間空間に封入した電界駆動可能な表示媒体をそれぞれの対向基板に設けた対電極から電界を付与することで表示媒体を移動させて画像等の情報表示を書き換えする表示部において、双方対向基板にドット対電極を設けて、双方表示部でドットマトリックス表示を行う表示方式の両面表示可能な情報表示用パネルで構成したことを特徴とする請求項４または５に記載の両面書き換え表示式情報表示装置。
【請求項７】
２つの基板間空間に封入した電界駆動可能な表示媒体をそれぞれの対向基板に設けた対電極から電界を付与することで表示媒体を移動させて画像等の情報表示を書き換えする表示部において、一方の対向基板にドット対電極を設け、もう一方の対向基板にセグメント対電極を設けて、一方の表示部でドットマトリックス表示を行い、もう一方の表示部でセグメント表示を行う表示方式の両面表示可能な情報表示用パネルで構成したことを特徴とする請求項４または５に記載の両面書き換え表示式情報表示装置。
【請求項８】
両面表示可能な情報表示用パネルの周囲の少なくとも一部に筐体部を設けたことを特徴とする請求項１〜７のいずれか１項に記載の両面書き換え表示式情報表示装置。
【請求項９】
両面表示可能な情報表示用パネルを情報表示装置本体に、裏返すことが可能に装着したことを特徴とする請求項１〜８のいずれか１項に記載の両面書き換え表示式情報表示装置。
【請求項１０】
情報書き換えスイッチを情報表示用パネルの筐体部または情報表示装置本体に設けたことを特徴とする請求項８または９に記載の両面書き換え表示式情報表示装置。
【請求項１１】
情報書き換えスイッチを、書き換えスイッチ（送り）と書き換えスイッチ（戻り）とから構成し、（１）書き換えスイッチ（送り）をＯＮにすると次の情報が情報表示用パネル裏面に表示され、（２）書き換えスイッチ（戻り）をＯＮにすると前の情報が情報表示用パネル裏面に表示されるように構成したことを特徴とする請求項１〜１０のいずれか１項に記載の両面書き換え表示式情報表示装置。
【請求項１２】
情報表示装置本体に、表示させたい情報を取り込むための外部メモリー接続端子、電池、表示媒体駆動装置、データ読み取り装置が搭載され、書き換えスイッチで与えられた情報の書き換え信号に応じて表示する情報を書き換えることを特徴とする請求項１〜１１のいずれか１項に記載の両面書き換え表示式情報表示装置。
【請求項１３】
情報表示用パネルの筐体部に、表示させたい情報を取り込むための外部メモリー接続端子、電池、表示媒体駆動装置、データ読み取り装置が搭載され、書き換えスイッチで与えられた情報の書き換え信号に応じて表示する情報を書き換えることを特徴とする請求項１〜１１のいずれか１項に記載の両面書き換え表示式情報表示装置。
【請求項１４】
両面表示可能な情報表示用パネルを、一面を高精細な文字等の情報を表示するのに好適なモノクロ表示部とし、他の面を図形等の情報を表示するのに好適なカラー表示部として構成したことを特徴とする請求項１〜１３のいずれか１項に記載の両面書き換え表示式情報表示装置。
【請求項１５】
両面表示可能な情報表示用パネルとして、両面のうち少なくとも一面をモノクロ表示領域とカラー表示領域とからエリアカラー表示可能に構成した表示部で構成したことを特徴とする請求項１〜１３のいずれか１項に記載の両面書き換え表示式情報表示装置。
【発明の詳細な説明】
【技術分野】
【０００１】
本発明は、両面表示可能な情報表示用パネルを用いた両面書き換え表示式情報表示装置に関するものである。
【背景技術】
【０００２】
従来、情報表示用パネルを用いた情報表示装置の一例として、表示媒体として液晶を用いた情報表示装置（液晶方式：例えば特許文献１参照）や、表示媒体として帯電粒子を用いた情報表示装置（電気泳動方式や電子粉流体方式）が知られている。そのうち、電子粉流体方式の情報表示装置を利用した例として、本出願人は、電子書籍表示装置（例えば、特許文献２参照）および電子棚札（例えば、特許文献３参照）を開示している。
【０００３】
【特許文献１】特開平９−２６５４７０号公報
【特許文献２】特開２００６−５８５７８号公報
【特許文献３】特開２００５−３０１０３０号公報
【０００４】
上述した従来の情報表示装置を利用した例では、いずれも、画面に表示させた情報に代わって別の情報を表示させる場合、同じ表示面を使って別の情報の表示を行っていた。つまり、表示させた情報を消去してから次に表示する別の情報を表示する（情報を書き換える）ことを行っていた。
【発明の開示】
【発明が解決しようとする課題】
【０００５】
そのため、上述した従来の情報表示装置を利用した例では、ユーザは画面に表示された情報の書き換えが終了するまで別の情報の表示を待つことになるが、その間、どうしても画面を見続けてしまう人間的習性のため、ユーザの目が疲れるという問題があった。また、電子棚札に適用した場合、棚札のように小さな表示画面に表示させる情報量には制約があり、商品価格と簡単な商品情報を表示するに留まる問題もあった。
【０００６】
本発明の目的は上述した問題点を解消して、１枚の情報表示用パネルを１枚の紙の表裏のように利用することができ、見たい情報が表示されるまで待つ動作をなくすことができ、さらに、表示情報の多様化に対応することのできる両面書き換え表示式情報表示装置を提供しようとするものである。
【課題を解決するための手段】
【０００７】
本発明の両面書き換え表示式情報表示装置は、両面表示可能な情報表示用パネルを用いた両面書き換え表示式情報表示装置であって、両面表示可能な１枚の情報表示用パネルを用い、情報書き換えスイッチをＯＮにすると、もう一方の画面に書き換えた情報が表示され、情報表示用パネルを裏返すことで、情報表示用パネルの裏面側に表示された選択情報を見るよう構成したことを特徴とするものである。
【０００８】
なお、本発明の両面書き換え表示式情報表示装置の好適例としては、電界駆動可能な表示媒体を２枚の透明基板間に封入し、基板に設けた透明電極から電界を付与することで表示媒体を移動させて画像等の情報表示を書き換えする表示方式の両面表示可能な１枚の情報表示用パネルで構成したこと、電界駆動可能な表示媒体を２枚の透明基板間に封入し、基板に設けた透明ドット対電極から電界を付与することで表示媒体を移動させて画像等の情報表示を書き換えするドットマトリックス表示方式の両面表示可能な１枚の情報表示用パネルで構成したこと、電界駆動可能な表示媒体を一方が透明な２枚の基板間に封入し、基板に設けた電極から電界を付与することで表示媒体を移動させて画像等の情報表示を書き換えする表示方式の表示部を２枚組み合わせて両面表示可能な情報表示用パネルを構成したこと、表示面を透明な電極付き基板を２枚用いて構成し、その２枚の透明基板の間に、透明でなく、かつ、両面に電極が設けられた基板を配置して形成された２つの基板間空間に電界駆動可能な表示媒体を封入し、基板に設けた電極から電界を付与することで表示媒体を移動させて画像等の情報表示を書き換えする表示方式の両面表示可能な情報表示用パネルで構成したこと、がある。
【０００９】
また、本発明の両面書き換え表示式情報表示装置の他の好適例としては、２つの基板間空間に封入した電界駆動可能な表示媒体をそれぞれの対向基板に設けた対電極から電界を付与することで表示媒体を移動させて画像等の情報表示を書き換えする表示部において、双方対向基板にドット対電極を設けて、双方表示部でドットマトリックス表示を行う表示方式の両面表示可能な情報表示用パネルで構成したこと、２つの基板間空間に封入した電界駆動可能な表示媒体をそれぞれの対向基板に設けた対電極から電界を付与することで表示媒体を移動させて画像等の情報表示を書き換えする表示部において、一方の対向基板にドット対電極を設け、もう一方の対向基板にセグメント対電極を設けて、一方の表示部でドットマトリックス表示を行い、もう一方の表示部でセグメント表示を行う表示方式の両面表示可能な情報表示用パネルで構成したこと、がある。
【００１０】
さらに、本発明の両面書き換え表示式情報表示装置のさらに他の好適例としては、両面表示可能な情報表示用パネルの周囲の少なくとも一部に筐体部を設けたこと、両面表示可能な情報表示用パネルを情報表示装置本体に、裏返すことが可能に装着したこと、情報書き換えスイッチを情報表示用パネルの筐体部または情報表示装置本体に設けたこと、情報書き換えスイッチを、書き換えスイッチ（送り）と書き換えスイッチ（戻り）とから構成し、（１）書き換えスイッチ（送り）をＯＮにすると次の情報が情報表示用パネル裏面に表示され、（２）書き換えスイッチ（戻り）をＯＮにすると前の情報が情報表示用パネル裏面に表示されるように構成したこと、がある。
【００１１】
さらにまた、本発明の両面書き換え表示式情報表示装置のさらに他の好適例としては、情報表示装置本体に、表示させたい情報を取り込むための外部メモリー接続端子、電池、表示媒体駆動装置、データ読み取り装置が搭載され、書き換えスイッチで与えられた情報の書き換え信号に応じて表示する情報を書き換えること、情報表示用パネルの筐体部に、表示させたい情報を取り込むための外部メモリー接続端子、電池、表示媒体駆動装置、データ読み取り装置が搭載され、書き換えスイッチで与えられた情報の書き換え信号に応じて表示する情報を書き換えること、がある。
【００１２】
また、本発明の両面書き換え表示式情報表示装置のさらに他の好適例としては、両面表示可能な情報表示用パネルを、一面を高精細な文字等の情報を表示するのに好適なモノクロ表示部とし、他の面を図形等の情報を表示するのに好適なカラー表示部として構成したこと、両面表示可能な情報表示用パネルとして、両面のうち少なくとも一面をモノクロ表示領域とカラー表示領域とからエリアカラー表示可能に構成した表示部で構成したこと、がある。
【発明の効果】
【００１３】
本発明の両面書き換え表示式情報表示装置によれば、１枚の情報表示用パネルの表裏２つの表示面を用いて両面表示可能な情報表示用パネルとし、情報書き換えスイッチをＯＮにすると、情報書き換えスイッチで選択した情報（ページ）を裏側の表示面に表示するよう構成したことで、１枚の情報表示用パネルを１枚の紙の表裏のように利用することができ、見たい情報が表示されるまで待つ動作をなくすことができるとともに、表示情報の多様化に対応できる両面書き換え表示式情報表示装置を得ることができる。
【発明を実施するための最良の形態】
【００１４】
＜第１実施例：１枚の情報表示用パネルのみで情報表示装置を構成する例＞
図１（ａ）、（ｂ）はそれぞれ本発明の両面書き換え表示式情報表示装置の第１実施例を説明するための図であり、図１（ａ）はその平面図を、図１（ｂ）は図１（ａ）のＡ−Ａ線に沿った断面図を、それぞれ示している。図１（ａ）、（ｂ）に示す例において、情報表示装置１は、表裏両面で情報を表示できるように構成した情報表示用パネル２と、情報表示用パネル２の周囲に設けられた筐体３と、から構成されている。情報表示用パネル２は、２枚の透明基板間の空間に封止した帯電粒子で構成される表示媒体をドットマトリックス配置した対電極から付与する電界で駆動させるドットマトリックス表示方式で情報を両面表示できる情報表示用パネルとしている。筐体３の側面には、情報書き換えスイッチとしての書き換えスイッチ（送り）４と書き換えスイッチ（戻り）５とが設けられている。これら情報書き換えスイッチをＯＮにすると第２表示面２ｂ（裏面）にこれまで第１表示面２ａ（表面）に表示されていた情報とは別の次に表示すべき情報が表示されるので、情報表示表示装置１を裏返ることによって表示された情報を見ることができる。
【００１５】
図２（ａ）、（ｂ）および図３（ａ）、（ｂ）はそれぞれ本発明の第１実施例に係る両面書き換え式情報表示装置の動作を説明するための図である。
【００１６】
図２（ａ）、（ｂ）に示す左右反転で裏返す方式の例では、図２（ａ）に示すように、情報表示装置１の情報表示用パネル２の第１表示面２ａに、現在見ているページの情報が表示された状態で、書き換えスイッチ（送り）４を押してから、左右反転で情報表示装置１を裏返す。書き換えスイッチ（送り）４を押すことで、情報表示装置１の情報表示用パネル２の第２表示面２ｂを表示面として、左右反転した後読み取れる状態に、次のページの情報の表示が始まる。そして、情報表示装置１を左右反転で裏返すことで、図２（ｂ）に示すように、情報表示装置１の情報表示用パネル２の第２表示面２ｂに表示された次のページの情報を見ることができる。
【００１７】
上述した本発明の両面書き換え表示式情報表示装置１では、書き換えスイッチ（送り）４を押した後情報表示装置１を裏返す動作を行うため、その裏返す動作中に情報の書き換え表示が終了するので、書き換え表示が進行する過程をユーザーが見続ける必要がなくなり、ユーザに負担をかけることがない。なお、この情報表示装置１を裏返す動作は、情報表示用パネル２を両面表示可能に構成することで始めて達成できるものである。図１に示した情報表示用パネル２は２枚の透明な基板間に帯電粒子で構成した表示媒体を封入して構成される１枚のパネルの表裏両面を表示面とする両面表示可能な情報表示用パネルである。
【００１８】
図３（ａ）、（ｂ）に示す上下反転で裏返す方式の例では、図３（ａ）に示すように、情報表示装置１の情報表示用パネル２の第１表示面２ａに現在見ているページの情報が表示された状態で、書き換えスイッチ（送り）４を押してから、上下反転で情報表示装置１を裏返す。書き換えスイッチ（送り）４を押すことで、情報表示装置１の情報表示用パネル２の第２表示面２ｂを表示面として、上下反転した後読み取れる状態に、次のページの情報の表示が始まる。そして、情報表示装置１を上下反転で裏返すことで、図３（ｂ）に示すように、情報表示装置１の情報表示用パネル２の第２表示面２ｂに表示された次のページを見ることができる。そのため、本例でも、図２（ａ）、（ｂ）で説明した効果と同じ効果を得ることができる。
【００１９】
なお、上述した例では説明しなかったが、書き換えスイッチ（送り）４の代わりに書き換えスイッチ（戻り）５を押した後、情報表示装置１を反転することで、再度第２表示面２ｂに現在表示している情報に代えて直前に表示していた情報を表示させて見ることができる。
【００２０】
＜第２実施例：１枚の情報表示用パネルを情報表示装置本体に裏返すことが可能に装着して情報表示装置を構成する例＞
図４（ａ）〜（ｃ）はそれぞれ本発明の両面書き換え表示式情報表示装置の第２実施例を説明するための図であり、図４（ａ）および図４（ｂ）はその平面図を、図４（ｃ）はその斜視図を、それぞれ示している。図４（ａ）〜（ｃ）に示す例において、情報表示装置１は、周囲に筐体３を設けた情報表示用パネル２を、平板状の情報表示装置本体１１に、裏返すことが可能に装着して構成されている。情報表示用パネル２の情報表示装置本体１１への装着は、ヒンジ機構などからなる可動固定部１２を用いて行われる。これにより、図４（ｃ）に示すように、情報表示用パネル２は可動固定部１２を回転軸として情報表示装置本体１１に対し裏返すことが可能となる。図４（ａ）に示す例と図４（ｂ）に示す例との相違点は、情報書き換えスイッチとしての書き換えスイッチ（送り）４と書き換えスイッチ（戻り）５との配置である。すなわち、図４（ａ）に示す例では、書き換えスイッチ（送り）４と書き換えスイッチ（戻り）５とを、情報表示装置本体１１の下側の両端にそれぞれ設けている。また、図４（ｂ）に示す例では、書き換えスイッチ（送り）４と書き換えスイッチ（戻り）５とを、筐体３の側面の上下に設けている。
【００２１】
図５（ａ）〜（ｄ）はそれぞれ本発明の第２実施例に係る両面書き換え式情報表示装置の動作を説明するための図である。図５（ａ）〜（ｄ）に従って動作を説明すると、まず、図５（ａ）に示すように、情報表示用パネル２の第１表示面２ａに現在見ているページの情報が表示された状態で、書き換えスイッチ（送り）４を押した後、情報表示装置１の情報表示用パネル２を左右反転して裏返す。これにより、図５（ｂ）に示すように、情報表示装置１の情報表示用パネル２の第２表示面２ｂに表示された次のページの情報を見ることができる。図５（ｂ）に示す状態から、さらに書き換えスイッチ（送り）４を押して、情報表示装置１の情報表示用パネル２を再度左右に反転して裏返すと、図５（ｃ）に示すように裏面に表示された、さらに次のページの情報を見ることができる。一方、図５（ｂ）に示す状態から、書き換えスイッチ（戻り）５を押して、情報表示装置１の情報表示用パネル２を再度左右反転して裏返すと、図５（ｄ）に示すように裏面に表示された、前のページの情報を見ることができる。
【００２２】
＜第３実施例：１枚の情報表示装置を、折り畳み可能な情報表示装置本体に裏返すことが可能に装着して情報表示装置を構成する例＞
図６（ａ）、（ｂ）はそれぞれ本発明の両面書き換え式情報表示装置の第３実施例を説明するための図であり、図６（ａ）はその斜視図を、図６（ｂ）はその側面図を、それぞれ示している。図６（ａ）、（ｂ）に示す例において、情報表示装置１は、周囲に筐体３を設けた情報表示用パネル２を、折り畳み可能な情報表示装置本体２１に、裏返すことが可能に装着して構成されている。情報表示用パネル２の情報表示装置本体２１への装着は、ヒンジ機構などからなる可動固定部２２を、情報表示装置本体２１の折り畳み可動部２１ａに装着することで行っている。本例では図示しないが、上述した第２実施例と同様に、筐体３の側面または情報表示装置本体２１の下部に、筐体３の側面または情報表示装置本体２１の下部に、書き換えスイッチ（送り）４と書き換えスイッチ（戻り）５と、を設けている。
【００２３】
図７（ａ）、（ｂ）はそれぞれ本発明の第３実施例に係る両面書き換え式情報表示装置の動作を説明するための図である。図７（ａ）、（ｂ）に従って動作を説明すると、まず、図７（ａ）に示すように、情報表示用パネル２の第１表示面２ａに現在見ているページの情報が表示された状態で、書き換えスイッチ（送り）４を押した後、情報表示装置１の情報表示用パネル２を左右反転して裏返す。これにより、図７（ｂ）に示すように、情報表示装置１の情報表示用パネル２の第２表示面２ｂに表示された次のページの情報を見ることができる。書き換えスイッチ（戻り）５を利用して前のページの情報を表示する方法は、上述した実施例と同じである。
【００２４】
＜第４実施例：１枚の情報表示用パネルを情報表示装置本体に裏返すことが可能に装着して構成した情報表示装置を棚札、電子情報ボードとして利用する例＞
図８（ａ）〜（ｃ）はそれぞれ本発明の両面書き換え表示式情報表示装置の第４実施例を説明するための図であり、図８（ａ）および図８（ｂ）はその平面図を、図８（ｃ）はその斜視図を、それぞれ示している。図８（ａ）〜（ｃ）に示す例において、情報表示装置１は、周囲に筐体３を設けた情報表示用パネル２を、平板状の情報表示装置本体１１に、裏返すことが可能に装着して構成されている。情報表示用パネル２の情報表示装置本体１１への装着は、ヒンジ機構などからなる可動固定部１２を用いて行われる。これにより、図８（ｃ）に示すように、情報表示用パネル２は可動固定部１２を回転軸として情報表示装置本体１１に対し裏返すことが可能となる。なお、本例では、情報書き換えスイッチとしての書き換えスイッチ（送り）４と書き換えスイッチ（戻り）５とを、情報表示装置本体１１上において、情報表示用パネル２と接触する位置に設けている。このような構成は、表側表示面で表示させたい情報１と裏側表示面で表示させたい情報２との２つの画面情報を交互に表示させる表示方式に用いる。
【００２５】
なお、情報書き換えスイッチの機構としては、スイッチを押すことでスイッチＯＮとしてもよいし、スイッチを開放することでスイッチＯＮとしてもよい。いずれの場合においても、本実施例ではメカニカルスイッチを用いる。光センサー式スイッチを用いることもできるが、光センサー式スイッチの場合は電源を入れておかなければならないため、ランニングコストを考えるとメカニカルスイッチが好ましい。
【００２６】
図８（ａ）〜（ｃ）に示す例では、まず、図８（ａ）に示すように、情報表示用パネル２の第１表示面２ａに例えば商品の価格などの情報が表示された状態で、情報表示装置１の情報表示用パネル２を左右反転して裏返す。このとき、裏返す動作と同時に情報表示用パネル２が書き換えスイッチ（送り）４から離れることで、書き換えスイッチ（送り）４がＯＮとなり、情報表示用パネル２の第２表示面２ｂに対する例えば他の商品情報などの次の情報表示が開始される。これにより、図８（ｂ）に示すように、情報表示用パネル２を裏返したとき、情報表示用パネル２の第２表示面２ｂに表示された次の情報を見ることができる。書き換えスイッチ（戻り）５を利用して前の情報を表示する方法も同様である。
【００２７】
図９（ａ）〜（ｄ）はそれぞれ本発明の両面書き換え表示式情報表示装置の第４実施例の動作を具体的に説明するための図である。図９（ａ）〜（ｄ）に従って動作を説明すると、まず、図９（ａ）に示すように、情報表示用パネル２の第１表示面２ａに現在見ている商品の情報が表示された状態で、情報表示装置１の情報表示用パネル２を左右反転して裏返す。このとき、裏返す動作と同時に情報表示用パネル２が書き換えスイッチ（送り）４から離れることで、書き換えスイッチ（送り）４がＯＮとなり、第２表示面２ｂに対する次の他の商品情報表示が開始される。これにより、図９（ｂ）に示すように、情報表示装置１の情報表示用パネル２の第２表示面２ｂに表示された次の他の商品情報を見ることができる。
【００２８】
本例図９（ｃ）では、図９（ｂ）に示す状態でさらに情報表示用パネル２を裏返さないで一定時間経過すると、図示しない書き換え駆動装置が作動して第２表示面２ｂに対する書き換えが行われ、前の商品情報（図９（ａ）に示す第１表示面２ａ上の商品情報）が第２表示面２ｂに表示される様子を示している。一方、図９（ｂ）に示す状態で、情報表示装置１の情報表示用パネル２を再度左右に反転して裏返すと、書き換えスイッチ（戻り）５がＯＮとなり、第１表示面２ａへの前の商品情報の表示が開始され、図９（ｄ）に示すように裏面に表示された前の商品情報を見ることができる。
【００２９】
図１０（ａ）、（ｂ）および図１１（ａ）、（ｂ）はそれぞれ本発明の両面書き換え表示式情報表示装置の第４実施例の用途例を説明するための図である。図１０（ａ）、（ｂ）に示す例では、情報表示装置１を電子棚札として利用する例を示しており、情報表示用パネル２の一方の表示面の一部にカラーフィルターを配置し、白色表示媒体／黒色表示媒体の移動により、一方の表示面では部分的にモノクロ表示（「青色りんご１個」の部分）とカラー表示（「１８０円」の部分）を行うエリアカラー表示を行い、もう一方の表示面では画面全体でモノクロ表示を行う例を示している。また、図１１（ａ）、（ｂ）に示す例では、情報表示装置１を電子説明ボードとして利用する例を示しており、情報表示用パネル２に配置した白色表示媒体／黒色表示媒体の移動によって、両表示面ともにモノクロ表示を行う例を示している。
【００３０】
図１０（ａ）、（ｂ）に示す電子棚札の例では、商品の価格表示は常に前面にあり、他の商品情報（例えば、生産者紹介などの、商品についての詳細情報）は顧客が見たいときだけ情報表示用パネル２を裏返すことによって、情報表示用パネル２の書き換え動作が行われ、これまで裏面となっていた第２表示面２ｂに書き換えられた情報が表示される。見終わったのち前の面（第１表示面２ａ）に裏返すことなく一定時間が経過した場合には、自動的に前の商品の価格表示に画面書き換えを行うようにした。これは駆動回路に組み込まれたクロックにより書き換え動作待機時間を制御することで行うことができる。また、顧客が裏返した情報表示用パネル２をもう一度裏返して元に戻した場合には、情報表示用パネル２の表裏面書き換え動作が行われるようにした。
【００３１】
また、図１１（ａ）、（ｂ）に示す電子ボードの例では、情報表示装置本体１１に、表示させたい２画面の情報をセットデータとして複数蓄積できるメモリー装置が設けられ、表示させる内容はメモリー装置が蓄積したデータから選択する。情報表示装置本体１１に設けた情報書き換えスイッチにて選択したり、無線スイッチにて選択したりできるように構成する。情報表示用パネル２の両面での表示書き換え駆動は、情報表示装置本体１１に搭載した電池、表示媒体駆動装置によって書き換え動作を検知したスイッチで与えられた情報の書き換え信号によって、情報表示用パネル２の裏面である第２表示面２ｂに表示すべき情報に書き換える。
【００３２】
＜第１実施例〜第４実施例において用いる情報表示用パネルの説明＞
上述した第１実施例〜第４実施例において、両面表示可能な情報表示用パネル２として好ましい構成は以下の通りである。まず、電界駆動可能な表示媒体としては、帯電粒子を気体中空間で駆動する方式や、帯電粒子を絶縁液体中で駆動する（電気泳動）方式や、半分ずつ帯電極性および色が異なる部分で構成した帯電粒子を絶縁液体とともにマイクロカプセル中で駆動（回転）する方式のものに適用できる。また、表示媒体をはさんで対向配置する２枚の基板には、電極を対で設け、この対電極間に形成された電界によって表示媒体を駆動させて画像等の情報表示を書き換える。観察側には透明基板を用い、透明な導電材料で形成した透明電極を設ける。対電極は、ライン電極を互いに対向交差させて形成したり、個別電極を対向させて形成したりすることができる。いずれの場合もドットマトリックス表示方式の情報表示用パネル表示部とすることができる。対電極をセグメント電極で構成すれば、セグメント表示方式の情報表示用パネル表示部とすることができる。
【００３３】
さらに、ライン電極で構成した対電極の場合にはパッシブ駆動方式を用い、個別電極で構成した対電極の場合にはアクティブ駆動方式を用いる。さらにまた、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートが用いられ、観察側表示面となる基板には透明なものを用いる。
【００３４】
次に、情報表示用パネル２の具体例として、帯電粒子（表示媒体）を気体中空間で駆動する方式の一例を、図１２（ａ）、（ｂ）〜図１４（ａ）、（ｂ）それぞれを参照して説明する。
【００３５】
図１２（ａ）、（ｂ）〜図１４（ａ）、（ｂ）に示した例では、電界駆動可能な表示媒体３３を２枚の透明基板３１、３２間の空間に封入し、透明基板３１、３２のそれぞれに設けた透明電極３５、３６から電界を付与することで、表示媒体３３を移動させて画像等の情報表示を書き換えできるドットマトリックス表示方式の両面表示可能な情報表示用パネル２を示している。また、表示媒体３を封入する透明基板３１、３２間の空間は、隔壁３４により複数のセル（小部屋）３７で仕切られている。これにより、封入した表示媒体３３が偏ることを防止できる。なお、表示媒体３３をマイクロカプセルに封止した場合には、このマイクロカプセルがセル（小部屋）の機能を有するので、さらにセル（小部屋）を設けなくても良い。
【００３６】
図１２（ａ）、（ｂ）に示す例では、３つのセル３７を表示単位（１ドット）とし、それぞれのセル３７に、白色表示媒体３３Ｗと赤色表示媒体３３Ｒとの２色の組み合わせの表示媒体、白色表示媒体３３Ｗと緑色表示媒体３３Ｇとの２色の組み合わせの表示媒体、白色表示媒体３３Ｗと青色表示媒体３３ＢＬとの２色の組み合わせの表示媒体、を封入してカラードット表示している。図１２（ａ）、（ｂ）に示す例とも観察者に対し赤色ドット表示を行っている。図１２（ａ）と図１２（ｂ）との相違点は、図１２（ａ）に示す例では電極３５、３６をライン電極として構成しているのに対し、図１２（ｂ）に示す例では電極３５、３６を個別電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００３７】
図１３（ａ）、（ｂ）に示す例では、３つのセル３７を表示単位（１ドット）とし、それぞれのセル３７の両面に、三原色カラーフィルター４１Ｒ、４１Ｇ、４１ＢＬを配置し、白色表示媒体３３Ｗと黒色表示媒体３３Ｂの２色の表示媒体によってカラードット表示している。図１３（ａ）、（ｂ）とも観察者に対し青色ドット表示を行っている。図１３（ａ）と図１３（ｂ）との相違点は、図１３（ａ）に示す例では電極３５、３６をライン電極として構成しているのに対し、図１３（ｂ）に示す例では電極３５、３６を個別電極として構成している点である。他の構成として、４つのセル３７を表示単位（１ドット）とし、それぞれのセル３７に三原色カラーフィルターと無色のカラーフィルターとを配置し、白黒２色の表示媒体によってカラードット表示することもできる。
【００３８】
また、カラーフィルターを用いてカラー表示する場合には、表裏両面にカラーフィルターを設けることが好ましいが、どちらかの面ではカラー表示でなく２色で表示させたい場合にはどちらか１面にカラーフィルターを設けるだけでよい。このように構成することで、両面表示可能な情報表示用パネルとして、一面を高精細な文字等の情報を表示するのに好適なモノクロ表示とし、他の面を図形等の情報を表示するのに好適なカラー表示としたパネルを得ることができる。もちろん、用途に応じて、両面モノクロ表示としたり、表示面の一部でカラー表示し、他の一部でモノクロ表示したり、カラー表示する領域とモノクロ表示する領域を自由に配置した構成とすることもできる。
【００３９】
図１４（ａ）、（ｂ）に示す例では、３つのセル３７を表示単位（１ドット）とし、それぞれのセル３７に、白色表示媒体３３Ｗとマゼンタ色表示媒体３３Ｍとの２色の組み合わせの表示媒体、白色表示媒体３３Ｗとシアン色表示媒体３３Ｃとの２色の組み合わせの表示媒体、白色表示媒体３３Ｗとイエロー色表示媒体３３Ｙとの２色の組み合わせの表示媒体、を封入してカラードット表示している。図１４（ａ）、（ｂ）とも観察者に対しマゼンタ色ドット表示を行っている。図１４（ａ）と図１４（ｂ）との相違点は、図１４（ａ）に示す例では電極３５、３６をライン電極として構成しているのに対し、図１４（ｂ）に示す例では電極３５、３６を個別電極として構成している点である。
【００４０】
特に第４実施例に好適に用いられる情報表示用パネル２の他の具体例を図１５（ａ）、（ｂ）に示す。図１５（ａ）、（ｂ）に示す例では、白色表示媒体３Ｗ／赤色表示媒体３Ｒを配置した表示領域と、白色表示媒体３Ｗ／黒色表示媒体３Ｂを配置した表示領域との上下表示領域を使ってエリアカラー表示する。図１５（ａ）に示す例では、図中上側の白黒表示領域の「青森産りんご」の文字が観察者に対し黒色表示され、図中下側の白赤表示領域の「１個１８０円」の文字が観察者に対し赤色に表示される。また、図１５（ｂ）に示す例では、図中上側の白赤表示領域の「青森産りんご」の文字が観察者に対し赤色に表示され、図中下側の白黒表示領域の「１個１８０円」の文字が観察者に対し赤色表示される。図１５（ａ）と図１５（ｂ）との相違点は、図１５（ａ）に示す例では電極３５、３６をライン電極として構成しているのに対し、図１５（ｂ）に示す例では電極３５、３６を個別電極として構成している点である。
【００４１】
本発明の他の実施例として情報表示用パネル２をそれほど薄くする必要がない場合には、図１６（ａ）、（ｂ）に示すように、２枚の片面表示式パネル２−１と２−２とを互いの片側表示面２ｃが外側を向くように背中合わせに重ねた構成をとることができる。片面表示式パネル２−１、２−２では、背中合わせになる側の基板および電極は透明でなくてもよい。
【００４２】
図１７（ａ）、（ｂ）および図１８（ａ）、（ｂ）はそれぞれ本発明において両面表示式パネルとして２枚の片面表示式パネル２−１、２−２を用いた例を示す図である。図１７（ａ）、（ｂ）に示す例では、２枚の片面表示式パネル２−１の背面側と２−２の背面側とを接着剤５１で貼り合わせて両面表示可能な情報表示用パネルを構成している。本例では、表示面となる基板２枚は透明とし、背面側基板は非透明としている。図１７（ａ）に示す例では、モノクロ表示の両面表示式表示パネルの例を示し、図１７（ｂ）に示す例では、Ｒ、Ｇ、Ｂカラーフィルターを両表示面に配置した両面でカラー表示ができる両面表示式表示パネルの例を示している。図１８（ａ）、（ｂ）に示す例では、片面表示式パネル２−１、２−２の背面側の基板を１枚の中央基板５２で共用し、３枚の基板で両面表示可能な情報表示用パネルを構成している。本例では、表示面となる基板２枚は透明とし、背面側基板は非透明としている。図１８（ａ）に示す例では、モノクロ表示の両面表示式表示パネルの例を示し、図１８（ｂ）に示す例では、Ｒ、Ｇ、Ｂカラーフィルターによるカラー表示の両面表示式表示パネルの例を示している。
【００４３】
次に、１枚の情報表示用パネル２と折り畳み可能な情報表示装置本体２１とを組み合わせた第３実施例の他の具体例を、図１９を参照して説明する。
【００４４】
図１９に示す例では、情報表示用パネル２として、図１３（ａ）に示した構成と同様の、白黒２色の表示媒体を利用するとともに表裏両面に三原色のカラーフィルターを配置した例を示している。なお、４２は情報表示用パネル２の周囲をシールするためのシール材である。図１９に示す例では、情報表示用パネル２が可動固定部２２により情報表示装置本体２１に装着されるとともに、情報表示装置本体２１自体も折り畳み可動部２１ａにより折り畳み可能に構成されている。また、情報表示装置本体２１には、ＵＳＢメモリー等の外部メモリー装着端子４３が設けられ、外部メモリー４４に蓄積された表示させたい情報を取り込むことができる。さらに、電池４５、表示媒体駆動装置４６、データ読み取り装置４７が搭載され、書き換えスイッチで与えられた情報の書き換え信号に応じて表示する情報を書き換える。
【００４５】
なお、変形例として、書き換えスイッチ（送り）４を１回押すと次情報を裏面に表示するようにし、２回押すと次々情報を裏面に表示するような書き換え構成にすることもできる。同様に、書き換えスイッチ（戻り）５を１回押すと前情報を裏面に表示するようにし、書き換えスイッチを２回押すと前々情報を裏面に表示するような書き換え構成にすることもできる。
【００４６】
次に、上述した実施例において、情報書き換えスイッチとしての書き換えスイッチ（送り）４と書き換えスイッチ（戻り）５との配置および構成について説明する。上述した実施例では、書き換えスイッチ（送り）４と書き換えスイッチ（戻り）５とを、筐体３の側面の上下および情報表示装置本体１１、２１の下側左右に設けた例を示したが、本発明においてこれらの配置は上述した例に限定されない。また、書き換えスイッチ（送り）４と書き換えスイッチ（戻り）５との構成も、指などで押すことでスイッチ機能が果たせるものであれば、どのような構成のものをも用いることができる。
【００４７】
次に、上述した実施例における書き換えスイッチ（送り）４と書き換えスイッチ（戻り）５との変形例について説明する。図２０（ａ）、（ｂ）はそれぞれ本発明の両面書き換え表示式情報表示装置における情報書き換えスイッチの他の例を説明するための図である。図２０（ａ）、（ｂ）に示す例では、１枚の情報表示用パネル２と情報表示装置本体１１とを開閉自在に接続する可動固定部１２を構成するヒンジ部に、情報表示用パネル２の回転に従って回転する第１の導電接点６１と、ヒンジ部固定された第２の導電接点６２とを同軸状に設けている。
【００４８】
そして、図２０（ａ）に示すように、第１の導電接点６１と第２の導電接点６２とが接触しない状態で、書き換えスイッチ（戻り）がＯＮの状態を構成し、図２０（ｂ）に示すように、第１の導電接点６１と第２の導電接点６２とが接触した状態で、書き換えスイッチ（送り）がＯＮの状態を構成している。そして、情報表示用パネル２を裏返す動作中に、第１の導電接点６１と第２の導電接点６２とが接触／非接触の状態をとることで、本発明の両面書き換え表示式情報表示装置における情報書き換えスイッチの役目を果たすことができる。
【産業上の利用可能性】
【００４９】
本発明の両面書き換え表示式情報表示装置は、電子書籍、電子楽譜、電子棚札、電子値札、情報表示ボード、商品説明ボードなど、１枚の情報表示用パネルを用いて片面表示しかできなかった用途において、両面表示可能な情報表示装置として好適に利用することができる。
【図面の簡単な説明】
【００５０】
【図１】（ａ）、（ｂ）はそれぞれ本発明の両面書き換え表示式情報表示装置の第１実施例を説明するための図である。
【図２】（ａ）、（ｂ）はそれぞれ本発明の第１実施例に係る両面書き換え式情報表示装置の動作の一例を説明するための図である。
【図３】（ａ）、（ｂ）はそれぞれ本発明の第１実施例に係る両面書き換え式情報表示装置の動作の他の例を説明するための図である。
【図４】（ａ）〜（ｃ）はそれぞれ本発明の両面書き換え表示式情報表示装置の第２実施例を説明するための図である。
【図５】（ａ）〜（ｄ）はそれぞれ本発明の第２実施例に係る両面書き換え式情報表示装置の動作を説明するための図である。
【図６】（ａ）、（ｂ）はそれぞれ本発明の両面書き換え式情報表示装置の第３実施例を説明するための図である。
【図７】（ａ）、（ｂ）はそれぞれ本発明の第３実施例に係る両面書き換え式情報表示装置の動作を説明するための図である。
【図８】（ａ）〜（ｃ）はそれぞれ本発明の両面書き換え表示式情報表示装置の第４実施例を説明するための図である。
【図９】（ａ）〜（ｄ）はそれぞれ本発明の両面書き換え表示式情報表示装置の第４実施例の動作を具体的に説明するための図である。
【図１０】（ａ）、（ｂ）はそれぞれ本発明の両面書き換え表示式情報表示装置の第４実施例の用途の一例を説明するための図である。
【図１１】（ａ）、（ｂ）はそれぞれ本発明の両面書き換え表示式情報表示装置の第４実施例の用途の他の例を説明するための図である。
【図１２】（ａ）、（ｂ）はそれぞれ本発明に用いる情報表示用パネルの一具体例を説明するための図である。
【図１３】（ａ）、（ｂ）はそれぞれ本発明に用いる情報表示用パネルの他の具体例を説明するための図である。
【図１４】（ａ）、（ｂ）はそれぞれ本発明に用いる情報表示用パネルのさらに他の具体例を説明するための図である。
【図１５】（ａ）、（ｂ）はそれぞれ第４実施例に好適に用いられる情報表示用パネルの他の具体例を説明するための図である。
【図１６】（ａ）、（ｂ）はそれぞれ本発明の他の実施例に好適に用いられる情報表示用パネルのさらに他の具体例を説明するための図である。
【図１７】（ａ）、（ｂ）はそれぞれ本発明において両面表示式情報表示用パネルとして２枚の片面表示式パネルを用いた例の一例を示す図である。
【図１８】（ａ）、（ｂ）はそれぞれ本発明において両面表示式情報表示用パネルとして２枚の片面表示式パネルを用いた例の他の例を示す図である。
【図１９】本発明の両面書き換え表示式情報表示装置の一具体例を説明するための図であ
【図２０】（ａ）、（ｂ）はそれぞれ本発明の両面書き換え表示式情報表示装置における情報書き換えスイッチの他の例を説明するための図である。
【符号の説明】
【００５１】
１  情報表示装置
２、２−１、２−２  情報表示用パネル
２ａ  第１表示面
２ｂ  第２表示面
２ｃ  片側表示面
３  筐体
４  書き換えスイッチ（送り）
５  書き換えスイッチ（戻り）
１１、２１  情報表示装置本体
２１ａ  折り畳み可動部
１２、２２  可動固定部
３１、３２  透明基板
３３  表示媒体
３３Ｗ  白色表示媒体
３３Ｂ  黒色表示媒体
３３Ｒ  赤色表示媒体
３３Ｇ  緑色表示媒体
３３ＢＬ  青色表示媒体
３３Ｍ  マゼンタ色表示媒体
３３Ｃ  シアン色表示媒体
３３Ｙ  イエロー色表示媒体
３４  隔壁
３５、３６  透明電極
３７  セル
４１Ｒ  赤色カラーフィルター
４１Ｇ  緑色カラーフィルター
４１ＢＬ  青色カラーフィルター
４２  シール材
４３  外部メモリー装着端子
４４  外部メモリー
４５  電池
４６  表示媒体駆動装置
４７  データ読み取り装置
５１  接着剤
５２  中央基板
６１  第１の導電接点
６２  第２の導電接点
【図１】
2008299268.tif 000003
【図２】
2008299268.tif 000004
【図３】
2008299268.tif 000005
【図４】
2008299268.tif 000006
【図５】
2008299268.tif 000007
【図６】
2008299268.tif 000008
【図７】
2008299268.tif 000009
【図８】
2008299268.tif 000010
【図９】
2008299268.tif 000011
【図１０】
2008299268.tif 000012
【図１１】
2008299268.tif 000013
【図１２】
2008299268.tif 000014
【図１３】
2008299268.tif 000015
【図１４】
2008299268.tif 000016
【図１５】
2008299268.tif 000017
【図１６】
2008299268.tif 000018
【図１７】
2008299268.tif 000019
【図１８】
2008299268.tif 000020
【図１９】
2008299268.tif 000021
【図２０】
2008299268.tif 000022